(57)【特許請求の範囲】
【請求項１】
左右の脚柱間に、座を設け、かつ背凭れを、座の後方において前方に倒伏しうるように設けてなる椅子において、起立位置とした前記背凭れの下部の前方において、前記左右の脚柱同士を、左右方向を向く連結杆により連結し、この連結杆と前記背凭れの下端部との間に、背凭れを起立位置にロックしうるロック手段を設け、このロック手段を、前記連結杆と背凭れの下部とのいずれか一方に設けられ、下端部に下方に開口する上下方向を向く係合溝を有する停止部材と、同じく他方に上下に移動可能に設けられ、上向付勢手段に抗して下方に操作可能な把手と、この把手に設けられ、前記係合溝に下方より係脱可能な左右方向を向くロックピンとを備えるものとしたことを特徴とする椅子。
【請求項２】
停止部材を、左右方向に離間させて複数設けてなる請求項１記載の椅子。
【請求項３】
把手を、上向付勢手段としての左右１対の引張りコイルばねにより吊支してなる請求項１または２記載の椅子。
【請求項４】
連結杆の後面と背凭れの下部前面とのいずれか一方に、左右１対の側片を有するガイド部材を取付け、このガイド部材の両側片間に、把手を、上下に摺動可能に収容するとともに、把手の両側端より突出させたロックピンの両端部を、前記左右の側片に設けた上下方向を向くガイド孔に、上下に摺動可能に嵌合してなる請求項１〜３のいずれかに記載の椅子。
【請求項５】
停止部材の遊端下部に、背凭れの起立時においてロックピンが当接することにより、これを係合溝の下端まで誘導可能な斜め上下方向を向くガイド面を形成してなる請求項１〜４のいずれかに記載の椅子。
【発明の詳細な説明】
【技術分野】
【０００１】
本発明は、例えば劇場や公共施設等で用いられる椅子に係り、特に、背凭れを前方に倒伏可能とした椅子に関する。
【背景技術】
【０００２】
背凭れを前方に倒伏可能とした従来の椅子には、例えば特許文献１〜３に記載されているものがある。
【特許文献１】実公昭４７−１１３３５号公報
【特許文献２】特公昭５８−１２１９１５号公報
【特許文献３】特許第３５３３１１５号公報
【発明の開示】
【発明が解決しようとする課題】
【０００３】
上記特許文献１に記載されている椅子においては、手動操作により、背凭れを起立位置にロックしたり、ロックを解除したりする手段が、背凭れの後面の中央部に露出して設けられているので、体裁が悪く、かつ誤操作等により、簡単に背凭れのロックが解除される恐れがある。
【０００４】
特許文献２に記載の椅子は、単に背凭れの両側面が、長短二つのリンク片により脚柱に起倒可能に支持されているのみで、背凭れを使用状態にロックする手段が設けられていないため、背凭れを不用意に前方に強く押すと、前方に倒伏してしまう恐れがある。
【０００５】
特許文献３に記載の椅子は、背凭れの両側部に突設したロックピンを、脚支柱の内側面に設けた、上端部が後方に開口する上下方向を向く長孔に、ロックピンの上昇に抵抗を付与するようにして係合させることにより、背凭れを起立位置にロックし、かつロックピンを長孔の上端部の開口より離脱させることにより、ロックが解除されて、背凭れを前方に倒伏しうるようになっている。
そのため、ロックを解除する際に、重量のある背凭れ全体を持ち上げる必要があり、その作業が面倒である。
また、床面に固定されていない椅子を移動させる際に、背凭れを手で持ち上げると、ロックが自動的に解除されて、背凭れが前方に倒伏してしまう恐れもある。
【０００６】
本発明は、上記問題点に鑑みてなされたもので、背凭れのロック手段を、誤操作されにくく、かつ目立たない位置に設けることにより、不用意にロックが解除されたり、体裁が損なわれたりするのを防止し、かつ背凭れを確実に起立位置にロックしうるようにした、操作性に優れるロック手段を備える椅子を提供することを目的としている。
【課題を解決するための手段】
【０００７】
本発明によると、上記課題は、次の各項のようにして解決される。
（１）左右の脚柱間に、座を設け、かつ背凭れを、座の後方において前方に倒伏しうるように設けてなる椅子において、起立位置とした前記背凭れの下部の前方において、前記左右の脚柱同士を、左右方向を向く連結杆により連結し、この連結杆と前記背凭れの下端部との間に、背凭れを起立位置にロックしうるロック手段を設ける。
【０００８】
このような構成とすると、背凭れを起立位置にロックするロック手段が、左右の脚柱同士を連結する連結杆と、背凭れの下部との間に設けられているので、ロック手段が外部に露呈せず、従って、それが誤操作されてロックが解除され、不用意に背凭れが前方に倒伏するのを防止しうるとともに、体裁もよくなる。
【０００９】
（２）上記(１)項において、ロック手段は、連結杆と背凭れの下部とのいずれか一方に設けられ、下端部に下方に開口する上下方向を向く係合溝を有する停止部材と、同じく他方に上下に移動可能に設けられ、上向付勢手段に抗して下方に操作可能な把手と、この把手に設けられ、前記係合溝に下方より係脱可能な左右方向を向くロックピンとを備えるものとする。
【００１０】
このような構成とすると、停止板に設けた下方に開口する係合溝に、把手に設けた左右方向を向くロックピンを係合させることにより、背凭れを起立位置に確実にロックすることができ、かつ把手を上向付勢手段に抗して下方に操作するだけでロックを解除しうるので、操作性もよい。特に、把手を背凭れ側の下部前面に設けると、その下方への操作がし易く、かつ把手によるロック解除と背凭れの倒伏とを、背凭れの下端部を把持したまま、連続した動作で行うことができる。
【００１１】
（３）上記(２)項において、停止部材を、左右方向に離間させて複数設ける。
【００１２】
このような構成とすると、ロックピンの左右方向の複数箇所が、複数の停止板の係合溝と係合してロックされるので、背凭れを起立位置に安定して停止保持することができる。
【００１３】
（４）上記(２)または(３)項において、把手を、上向付勢手段としての左右１対の引張りコイルばねにより吊支する。
【００１４】
このような構成とすると、把手を上向きに付勢する左右１対の引張りコイルばねが、把手の吊支部材も兼ねているので、部品点数や組付工数が削減することができる。
【００１５】
（５）上記(２)〜(４)項のいずれかにおいて、連結杆の後面と背凭れの下部前面とのいずれか一方に、左右１対の側片を有するガイド部材を取付け、このガイド部材の両側片間に、把手を、上下に摺動可能に収容するとともに、把手の両側端より突出させたロックピンの両端部を、前記左右の側片に設けた上下方向を向くガイド孔に、上下に摺動可能に嵌合する。
【００１６】
このような構成とすると、把手は、ガイド部材の両側片により案内されて上下方向に移動するとともに、ロックピンの両端部も、ガイド部材の両側片の上下方向を向くガイド孔に上下に摺動可能に嵌合されているので、把手の前後左右方向のぐらつきを防止して、安定よく操作することができ、ロックピンを係合溝より円滑に離脱させることができる。
【００１７】
（６）上記(２)〜(５)項のいずれかにおいて、停止部材の遊端下部に、背凭れの起立時においてロックピンが当接することにより、これを係合溝の下端まで誘導可能な斜め上下方向を向くガイド面を形成する。
【００１８】
このような構成とすると、背凭れを起立させると、ロックピンが停止板のガイド面に誘導されて係合溝と自動的に係合するので、把手を操作する必要がない。
【発明の効果】
【００１９】
本発明によれば、背凭れを起立位置にロックするロック手段が外部に露呈しないので、それが誤操作されてロックが解除され、不用意に背凭れが前方に倒伏したり、体裁が損なわれたりするのを防止しうる。
【発明を実施するための最良の形態】
【００２０】
以下、本発明の実施形態を、図面に基づいて説明する。
図１は、本発明の一実施形態である、劇場等で使用される連結椅子の側面図、図２は、同じく、背凭れを前方に倒伏したときの後方斜視図、図３は、同じく、座を跳ね上げた状態の中央縦断拡大側面図である。
【００２１】
連結椅子１は、前後の下端(以下、図１の左方を前とする)を床面にアンカボルトにより固定しうるようにした３個の脚柱２における互いに隣接するものの間に、座３と背凭れ４を取付けて構成され、これらの座３と背凭れ４、及び互いに隣接する左右の脚柱２、２により、左右２脚の単体椅子５、５が構成されている。
【００２２】
各脚柱２は、後上方を向く前脚２aと、その上端に連結されたほぼ垂直の後脚２bと、それらの上下方向の中間部の対向面同士を連結している連結板２cとを備え、側面形が概ねＡ状を呈している。
左右に隣接する脚柱２同士は、それらの連結板２cの後端部の対向面に、左右方向を向く連結杆６の両側端に固着した固定片７を、ねじ８をもって固定することにより、互いに連結されている。
【００２３】
前脚２aにおける上下方向の中間部前面と、前脚２aと後脚２bとの連結部の上面には、倒立三角形状の開口９を有する肘掛け支柱１０が一体的に架設され、その上端における前後方向を向く水平片１０aの上面には、肘当て１１が取付けられている。
【００２４】
左右の単体椅子５の座３は、その後部寄りの左右両側面が、左右方向を向く支軸１２により、左右の脚柱２、２の対向面に上下に回動可能に枢着され、図３に示すように、不使用時には、上向きに跳ね上げておくことができるようになっている。
【００２５】
背凭れ４は、下端部が連結杆６よりも下方に位置し、上半部を、脚柱２の上端よりも上方に延出させて、後向きに折曲してなる背板１３と、その下端部を除く前面に取付けられた、クッション材よりなる背当て１４とからなり、背板１３の下部の両側端部前面に取付けた左右１対の支持片(一方のみ図示する)１５の上端部を、左右方向を向く支軸１６により、脚柱２における後脚２bの上端部の内側面に枢着することにより、起立位置と、前面上部が座３の上面に当接する倒伏位置とに回動させることができるようになっている。
【００２６】
左右の椅子５における連結杆６の左右方向の中央部後面と、背板１３の下端部における左右方向の中央部前面とには、背凭れ４を起立位置にロックするロック手段１７が設けられている。
図４〜図７に詳細を示すように、ロック手段１７は、連結杆６と直交する前後方向を向き、前端が連結杆６の後面に溶接された、左右両方向と下方に開口する側面視倒立Ｕ字状の係合溝１８を下端部に有する左右２枚の平板状の停止板１９、１９と、両停止板１９と対向する背板１３の前面に取付けられ、手動操作により両停止板１９の係合溝１８と係脱可能な操作機構２０とからなっている。
両停止板１９における遊端側である後端下部には、後記するロックピン２３の前部外周面が当接することにより、これを係合溝１８の下端まで誘導し、ロックピン２３を係合溝１８に自動的に係合させうる、斜め上下方向に向かって円弧状に傾斜するガイド面１９aが形成されている。なお、このガイド面１９aは、単に、斜め上下方向を向く傾斜面としてもよい。
【００２７】
操作機構２０は、平面視前向コ字状をなすガイド部材２１と、このガイド部材２１内に上下に移動可能に収容された把手２２と、この把手２２と共に上下動し、上記両停止板１９の係合溝１８に下方より係脱可能な左右方向を向くロックピン２３と、把手２２を常時上方に付勢する左右１対の引張りコイルばね２４、２４とを備え、ガイド部材２１における正面視方形をなす取付板２１aを、背板１３の下端部の中央部前面に、上下左右４本の止めねじ２５により固定することにより、操作機構２０全体が、背板１３の中央部前面に、後方から目視し得ないように取付けられている。
【００２８】
把手２２は、上下方向を向く板状の基片２６aの両側端に、左右１対の側片２６b、２６bが連設された平面視前向コ字状の把手本体２６と、両側端が左右の側片２６bの対向面に近接または当接するようにして、基片２６aの前面にスポット溶接された、下端部に前方に突出する後向きコ字状断面の手掛け部２７aが折曲形成された板状の引手部材２７とからなり、把手２２は、把手本体２６の側片２６b、２６bの外側面が、ガイド部材２１の左右の側片２１b、２１bの内側面と近接するようにして、ガイド部材２１内に上下に移動可能に収容されている。
【００２９】
把手本体２６の基片２６aと引手部材２７の上端部には、左右の停止板１９、１９が凹入しうる大きさの、正面視上向コ字状の切欠き２８が形成されている。
引手部材２７における切欠き２８の両側の上端部は、把手本体２６の基片２６aの上端より斜め後ろ上方に延出し、その上端の後面を、ロックピン２３よりも上方において、ガイド部材２１の前面に、基片２６aの上端部との間に隙間が形成されるようにして当接させてある。このようにすると、把手２２を引張りコイルばね２４に抗して引き下げた際に、その下端部がロックピン２３を中心として前向きに回動し難くなり、把手２２の下端部をガイド部材２１の前面に当接させた状態で、安定よく下方に操作することができるようになる(図５参照)。
なお、把手本体２６の基片２６aと引手部材２７の中央部には、下部の左右２本の止めねじ２５と、それを螺合する工具とを前方より挿入しうる大きさをなすとともに、把手２２を止めねじ２５の頭部と干渉させずに引き下げうる上下寸法の長孔２９、２９が穿設されている。
【００３０】
上述したロックピン２３の両側端部は、把手本体２６における左右の側片２６b、２６bの上端部に穿設された軸孔３０、３０に挿通され、両軸孔３０より突出する両端部は、ガイド部材２１の左右の側片２１b、２１bに形成された上下方向を向くガイド孔３１、３１に、上下に摺動可能に嵌合されている。ロックピン２３の両側端部の外周面に形成された環状溝(図示略)には、スナップリング３２、３２が嵌着され、ガイド孔３１からロックピン２３が抜け外れるのが防止されている。
【００３１】
上記引張りコイルばね２４、２４より下方へ延出する円弧状の下端２４aは、把手本体２６の両側片２６bと近接する内方において、ロックピン２３の両側端部に掛止され、同じく上方へ延出する逆Ｕ字状の上端２４bは、ガイド部材２１における左右の側片２１b、２１bの後端部に形成した切欠き凹部３３に掛止されている。これにより、把手２２は、ガイド部材２１内において、左右の引張りコイルばね２４、２４により吊支され、かつ斜め後ろ上方に向かって付勢されることにより、下方に移動するのが阻止されている(図４、図６参照)。
【００３２】
起立位置にある背凭れ４を前方に倒伏させるには、把手２２における引手部材２７の手掛け部２７aに手を掛けて、把手２２全体を、図５の矢印のように、引張りコイルばね２４の付勢力に抗して引き下げる。すると、ロックピン２３が左右の停止板１９の係合溝１８より離脱して、ロックが解除され、背凭れ４を前方に倒伏させることができる。
【００３３】
倒伏させた背凭れ４を起立させ、ロックピン２３を停止板１９の係合溝１８に係合させると、背凭れ４は起立位置にロックされる。この背凭れ４の起立時において、左右の停止板１９の後端下部に形成された、斜め上下方向に向かって円弧状に傾斜するガイド面１９aに、ロックピン２３の前部外周面が当接し、ガイド面１９aに案内されて前下方に誘導されることにより、ロックピン２３は、係合溝１８に自動的に係合してロックされるので、把手２２を操作する必要がない。
【００３４】
以上説明したように、上記実施形態の単体椅子５においては、背凭れ４のロック手段１７を、左右の脚柱２を連結している連結杆６と、背凭れ４における背板１３の下端部との対向面に設けてあり、外部に露呈していないので、ロック手段１７が誤操作されて、不用意に背凭れ４が前方に倒伏するおそれはなく、かつ体裁もよい。
【００３５】
また、把手２２を下方に操作しなければ、背凭れ４のロックが解除されないようになっているので、移動可能な椅子に適用した際に、背凭れ４の下端に手を掛けて持ち上げたとしても、ロックが解除される恐れはなく、安全である。
【００３６】
さらに、連結杆６に、左右２個の停止板１９を固着し、それらに設けた下方に開口する係合溝１８に左右方向を向くロックピン２３を係合させているので、背凭れ４を確実にロックすることができ、かつ手掛け部２７aに手を掛けて、把手２２を引き下げるだけでロックを解除しうるので、操作性もよい。しかも、把手２２によるロック解除と背凭れ４の倒伏とを、背板１３の下端部を把持したまま、連続した動作で行うことができる。
【００３７】
上記実施形態では、連結杆６に停止板１９を、背凭れ４に操作機構２０を設けたが、それとは逆に、背凭れ４側に停止板１９を、連結杆６側に操作機構２０を、それぞれ上記実施形態と前後反対向きとして設けることもできる。
【００３８】
また、上記実施形態では、左右１対の引張りコイルばね２４の下端を、ロックピン２３の両端部に掛止し、ロックピン２３を介して把手２２を吊支しているが、把手２２の上端部に掛止孔を設けるなどして、これに引張りコイルばね２４の下端を掛止し、把手２２を直接吊支するようにしてもよい。
【図面の簡単な説明】
【００３９】
【図１】本発明を適用した連結椅子の側面図である。
【図２】同じく、背凭れを前方に倒伏させた状態の斜視図である。
【図３】同じく、座を跳ね上げた状態の中央縦断拡大側面図である。
【図４】図３のＡ部の拡大図である。
【図５】同じく、背凭れのロックを解除したときの拡大図である。
【図６】図４のVI-VI線拡大縦断正面図である。
【図７】図６のVII-VII線拡大横断平面図である。
【符号の説明】
【００４０】
１    連結椅子
２    脚柱
２a   前脚
２b   後脚
２c   連結板
３    座
４    背凭れ
５    単体椅子
６    連結杆
７    固定片
８    ねじ
９    開口
１０  肘掛け支柱
１０a 水平片
１１  肘当て
１２  支軸
１３  背板
１４  背当て
１５  支持片
１６  支軸
１７  ロック手段
１８  係合溝
１９  停止板
１９a ガイド面
２０  操作機構
２１  ガイド部材
２１a 取付板
２１b 側片
２２  把手
２３  ロックピン
２４  引張りコイルばね
２４a 下端
２４b 上端
２５  止めねじ
２６  把手本体
２６a 基片
２６b 側片
２７  引手部材
２７a 手掛け部
２８  切欠き
２９  長孔
３０  軸孔
３１  ガイド孔
３２  スナップリング
３３  切欠き凹部
【図１】
0005280724.tif 000002
【図２】
0005280724.tif 000003
【図３】
0005280724.tif 000004
【図４】
0005280724.tif 000005
【図５】
0005280724.tif 000006
【図６】
0005280724.tif 000007
【図７】
0005280724.tif 000008